(57)【特許請求の範囲】
【請求項１】
キャビネットの台輪部と箱体とからなるフロアキャビネットの構造であって、
該箱体は正面板と左右側板と底面板と背面板とからなり、該背面板は左右側板の後側に設けられた凹溝部に着脱自在に嵌挿されるとともに、左右側板の下面の幅方向には一定間隔でリブが突設され、上記箱体は台輪空間に出し入れ自在に嵌装されるフロアキャビネットの構造。
【請求項２】
上記箱体が収納箱として使用される請求項１に記載のフロアキャビネットの構造。
【請求項３】
上記箱体の左右側板の上面にアジャスターを設けるとともに、上下逆にして踏み台として使用される請求項１に記載のフロアキャビネットの構造。
【請求項４】
上記背面板を取り、上記箱体を前後逆にして背面開口部を正面とし、使用者の足下を納める蹴込みとして使用する請求項１に記載のフロアキャビネットの構造。
【請求項５】
上記キャビネットが洗面化粧台のベースキャビネットである請求項１に記載のフロアキャビネットの構造。
【発明の詳細な説明】
【技術分野】
【０００１】
本発明は、洗面化粧台、システムキッチン等、床面に置かれるキャビネットに関する。さらに詳しくは、上記フロアキャビネットの構造に関する。
【背景技術】
【０００２】
従来、洗面化粧台、システムキッチン等、床面に置いて使用するフロアキャビネットは床面に直に置かれることはなく、通常、台輪と呼ばれる部材に載置して設置される。上記台輪は、使用者の身長に合わせてフロアキャビネットの高さを調節するため、また、台輪部の空間は使用者のつま先を納める蹴込みとして、あるいは収納部として利用されている。例えば、下記特許文献１には、その図１、図２に示されているように、蓋を上部に設けかつ底面にキャスターを取り付けた踏み台機能付き収納ボックスをシステムキッチンの台輪の空間部分に組込んだ技術が提案されている。
【特許文献１】特開平１１−１０３９５１号公報（第１〜３頁、第１図、第２図）
【発明の開示】
【発明が解決しようとする課題】
【０００３】
本発明は、上記した従来技術よりもさらに有効に台輪を利用するため、多機能な箱体を上記台輪部の空間に出し入れ自在に嵌装し、種々の用途に使用可能とされたフロアキャビネットの構造を提供することを、その課題とする。
【課題を解決するための手段】
【０００４】
上記課題を解決するために、本発明においては、つぎのような技術的手段を講じている。すなわち、請求項１に記載の発明によれば、キャビネットの台輪部と箱体とからなるフロアキャビネットの構造であって、該箱体は正面板と左右側板と底面板と背面板とからなり、該背面板は左右側板の後側に設けられた凹溝部に着脱自在に嵌挿されるとともに、左右側板の下面の幅方向には一定間隔でリブが突設され、上記箱体は台輪空間に出し入れ自在に嵌装されるフロアキャビネットの構造が提供される。
【０００５】
請求項２に記載のフロアキャビネットの構造は、請求項１に記載の発明に加えて、上記箱体が収納箱として使用される。
【０００６】
請求項３に記載のフロアキャビネットの構造は、請求項１に記載の発明に加えて、上記箱体の左右側板の上面にアジャスターを設けるとともに、上下逆にして踏み台として使用される
請求項４に記載のフロアキャビネットの構造は、請求項１に記載の発明に加えて、上記背面板を取り、上記箱体を前後逆にして背面開口部を正面とし、使用者の足下を納める蹴込みとして使用される。
【０００７】
請求項５に記載のフロアキャビネットの構造は、請求項１に記載の発明に加えて、上記キャビネットが洗面化粧台のベースキャビネットとされる。
【発明の効果】
【０００８】
請求項１に記載の発明にかかるフロアキャビネットの構造は上記のとおりであり、正面板と左右側板と底面板と背面板とからなり、該背面板は左右側板の後側に設けられた凹溝部に着脱自在に嵌挿されるとともに、左右側板の下面の幅方向には一定間隔でリブが突設された箱体が台輪の空間部分に出し入れ自在に嵌装されるため、上記空間を単に蹴込みとして利用するだけではなく、箱体をそのまま、あるいは背面板を取り去り、上下または前後逆にして上記台輪空間に出し入れ自在とし、台輪部を多目的に使用できる。
【０００９】
請求項２に記載のフロアキャビネットの構造は上記のとおりであり、請求項１のフロアキャビネットの構造の有する効果に加え、上記箱体を収納箱として用いることにより、台輪部の空間を収納空間として有効に利用できる。また、左右側板の下面の幅方向に突設されたリブが床面に接触するため、接触面積が小さくなり、摩擦抵抗を少なくして床面上をスムースに移動可能な収納箱とすることができる。
【００１０】
請求項３に記載のフロアキャビネットの構造は上記のとおりであり、請求項１のフロアキャビネットの構造の有する効果に加え、上記箱体の左右側板の上面にアジャスターを設け、上下逆にして踏み台として使用するため、床面に接したアジャスターを調節することによって踏み台の高さを調節し、幼児等が使い勝手よく、例えば洗面化粧台を使用することができる。
【００１１】
請求項４に記載のフロアキャビネットの構造は上記のとおりであり、請求項１のフロアキャビネットの構造の有する効果に加え、上記背面板を取り、上記箱体を前後逆にして背面開口部を正面とし使用者の足下を納める蹴込みとすることができるため、使用者は足下を広く、使い勝手よく例えば洗面化粧台を使用することができる。
【００１２】
請求項５に記載のフロアキャビネットの構造は上記のとおりであり、請求項１のフロアキャビネットの構造の有する効果に加え、上記キャビネットを洗面化粧台のベースキャビネットとすることにより、ベースキャビネットの台輪部をサニタリー用品等の収納空間、踏み台の収納空間、蹴込み等種々の目的に利用できる。
【発明を実施するための最良の形態】
【００１３】
以下、本発明の実施形態について図面を参照して詳細に説明する。本実施形態においては、洗面化粧台のベースキャビネットに本発明のフロアキャビネットの構造を適用した例について説明する。図１は本発明のフロアキャビネットの構造にかかる台輪部Ａを示す斜視図である。図１に示すように、台輪部Ａは左右両側に脚部９を備え、両脚部９とベースキャビネットの底面によって台輪空間Ｓが形成される。
【００１４】
図２は、本発明のフロアキャビネットの構造にかかる箱体Ｂを示す分解斜視図である。図２に示されているように、箱体Ｂは正面板１と左側板２と右側板３と底面板４と背面板５とからなり、背面板５は左側板２の後側に設けられた凹溝部２１および右側板３の後側に設けられた凹溝部３１に着脱自在に嵌挿される。また、正面板１には引手孔６が穿たれている。さらに、左右側板２、３の各々の下面２２、３２の幅方向には一定間隔でリブ７が突設されている。
【００１５】
つぎに本発明のフロアキャビネットの構造の使用例について説明する。図３は上記箱体Ｂを収納箱として使用した第１使用例を示す斜視図である。図３に示すように第１使用例においては、図２に示した背面板５を左右側板２、３の後側に設けられた凹溝部２１、３１に嵌挿して用いる。例えば、箱体Ｂにサニタリー用の種々の小物類を収納し、引手孔６を利用して図１に示す台輪空間Ｓに納めることにより、台輪空間Ｓを収納空間として利用することができる。
【００１６】
このとき、左右側板２、３の下面２２、３２に突設されたリブ７が床面に接触するため、接触面積が小さく摩擦抵抗を少なくして箱体Ｂをスムースに台輪空間Ｓに出し入れすることができる。図４は、上記に説明したように箱体Ｂを台輪空間Ｓに納めた状態を示す斜視図である。図４に示されているように箱体Ｂは台輪空間Ｓに見栄えよく納まり、前方は蹴込み空間Ｋを形成し、つま先を納めて使い勝手よく洗面化粧台を使用できる。
【００１７】
図５は、上記箱体Ｂを上下逆にして踏み台として使用する第２使用例を示す斜視図である。例えば、幼児が洗面化粧台を使用するとき、底面板４の上に乗り、使い勝手よく手洗い、洗面等をすることができる。このとき、左右側板２、３の上面にアジャスター８を設け、踏み台の高さを調節することも可能である。また、左右側板２、３の各々の下面２２、３２の幅方向に突設されたリブ７は底面板４の両端に位置するため、使用者は触感でその存在を覚知し、足を踏み外すことを防げる。なお、使用後は箱体Ｂを台輪空間Ｓに納めることにより邪魔にならず、図４に示した場合と同様に蹴込み空間Ｋを形成し、使用者のつま先を納めることができる。
【００１８】
図６は、背面板５を取り去り、上記箱体Ｂを前後逆にして背面開口部Ｈを正面とし、蹴込みとして利用する第３使用例を示す分解斜視図である。図６に示すように、矢印にしたがって箱体Ｂを台輪空間Ｓに納めることにより、オープンとなった上記背面開口部Ｈを蹴込みとして、使用者は足下を納め、広く、使い勝手よく洗面化粧台を使用することができる。
【図面の簡単な説明】
【００１９】
【図１】本発明のフロアキャビネットの構造にかかる台輪部を示す斜視図である。
【図２】本発明のフロアキャビネットの構造にかかる箱体を示す分解斜視図である。
【図３】本発明の箱体を収納箱として使用する第１使用例を示す斜視図である。
【図４】本発明の箱体を収納箱として使用し、台輪空間に納めた状態を示す斜視図である。
【図５】本発明の箱体を上下逆にし、踏み台として使用する第２使用例を示す斜視図である。
【図６】本発明の箱体を前後逆にし、背面開口部を蹴込みとして使用する第３使用例を示す分解斜視図である。
【符号の説明】
【００２０】
Ａ          台輪部
Ｓ          台輪空間
９          脚部
Ｂ          箱体
１          正面板
２          左側板
２１        凹溝部
２２        下面
３          右側板
３１        凹溝部
３２        下面
４          底面板
５          背面板
６          引手孔
７          リブ
８          アジャスター
Ｋ          蹴込み空間
Ｈ          背面開口部
【図１】
0004508155.tif 000002
【図２】
0004508155.tif 000003
【図３】
0004508155.tif 000004
【図４】
0004508155.tif 000005
【図５】
0004508155.tif 000006
【図６】
0004508155.tif 000007